(57)【要約】【課題】  コンパクトで電池交換作業や配線工事を不要とするリモコン装置を提供すること。【解決手段】  操作ボタンを備え、機器を遠隔操作するためのリモコン装置であって、押圧されることで発電可能な発電装置と、前記ボタンが押圧されると押圧方向と垂直な面において回転運動を行う回転部材と、前記回転部材の回転運動を直線運動に変換する変換部材と、を有し、前記変換部材の直線運動によって前記発電装置が押圧されることを特徴とするリモコン装置。【選択図】  図３
2015170946.tif 000002
【特許請求の範囲】
【請求項１】
操作ボタンを備え、機器を遠隔操作するためのリモコン装置であって、
押圧されることで発電可能な発電装置と、
前記ボタンが押圧されると押圧方向と垂直な面において回転運動を行う回転部材と、
前記回転部材の回転運動を直線運動に変換する変換部材と、を有し、
前記変換部材の直線運動によって前記発電装置が押圧されることを特徴とするリモコン装置。
【請求項２】
前記変換部材は、第一変換部材と第二変換部材とを備え、
前記ボタンは、複数のボタンを有し、
前記複数のボタンが前記回転部材を介して前記第一変換部材と前記第二変換部材に夫々設けられ、
前記複数のボタンの何れか一つが押圧されることにより、前記第一変換部材又は前記第二変換部材のどちらか一方の変換部材が移動することで、他方の変換部材が連動して動く伝達手段を有することを特徴とする請求項１記載のリモコン装置。
【発明の詳細な説明】
【技術分野】
【０００１】
本発明は、操作ボタンを備え、機器を遠隔操作するためのリモコン装置に関する。
【背景技術】
【０００２】
便座に着座している使用者の局部を洗浄するため、局部に向けて吐水する便座装置が広く普及している。使用者は、用便後にノズルから吐水させたり、洗浄後にその吐水を停止させたりといった便座装置の動作を、当該便座装置が設けられた空間に設置されるリモコン装置のボタン等を押すことで選択する。また、使用者が押し易い位置にボタンを配置するため、それらのボタンを配したリモコン装置をトイレブースの壁面などに設置し、無線で便座装置を遠隔操作することも一般的に行われている。
【０００３】
便座装置の動作の選択をリモコン装置によって行う場合、その選択内容に応じた信号を生成し、便座装置に送信するための電力は、リモコン装置に内蔵される電池や、有線により商用電源から供給されるのが一般的である。しかしながら、電池や有線によって電力供給する場合には、電池交換作業や配線工事が必要になるという煩わしさがある。
【０００４】
このような電池交換作業や配線工事を不要とする便座装置用のリモコン装置として、下記特許文献１に記載されたものが提案されている。下記特許文献１に記載されたリモコン装置では、使用者がリモコン装置のボタンを押動作すると、その押動作によって電力を発生させ、当該電力によって信号の生成及び送信を行う。詳細には、使用者の押動作に基づいて、リモコン装置内部に設けられるボタン体や係止片部等の機構が駆動し、圧電セラミックス体に衝撃が与えられ、それによって発生した電力を信号の生成等に使用する。
【先行技術文献】
【特許文献】
【０００５】
【特許文献１】特開２００６−９２８０号公報
【発明の概要】
【発明が解決しようとする課題】
【０００６】
上記特許文献１に記載のリモコン装置は、パネル部に複数のボタンを有しており、使用者がボタンを押すことで、パネル部の裏面に配置されたボタン体が背面方向へ押圧される。この押圧力によりボタン体は軸を中心として回転し、これに伴いボタン体の係止片部が回動し、回転リンク体の係合を中心として回動し、回転リンク体の殴打部が鋼球を殴打し、自己発電が行われる。
【０００７】
必要な発電量を自己発電するためには、ボタンを所定の位置まで押し込む動作が必要となり、リモコン装置本体の奥行き方向の幅が必要となるので必然的にリモコン装置が大きくなってしまうという問題があった。
【課題を解決するための手段】
【０００８】
本発明の態様の１つは、操作ボタンを備え、機器を遠隔操作するためのリモコン装置であって、押圧されることで発電可能な発電装置と、前記ボタンが押圧されると押圧方向と垂直な面において回転運動を行う回転部材と、前記回転部材の回転運動を直線運動に変換する変換部材と、を有し、前記変換部材の直線運動によって前記発電装置が押圧されることを特徴とするリモコン装置である。
【０００９】
このように構成された発明においては、使用者がボタンを押圧することで、回転部材が回転し、その回転によって変換部材が直線運動を行い、発電装置を押圧することで発電できる。また上記構成としたことで、ボタンの押圧方向に重ならずに発電装置を配置することができ、薄型のリモコン装置とすることができる。
【００１０】
本発明の選択的な態様においては、前記変換部材は、第一変換部材と第二変換部材とを備え、前記ボタンは、複数のボタンを有し、前記複数のボタンが前記回転部材を介して前記第一変換部材と前記第二変換部材に夫々設けられ、前記複数のボタンの何れか一つが押圧されることにより、前記第一変換部材又は前記第二変換部材のどちらか一方の変換部材が移動することで、他方の変換部材が連動して動く伝達手段を有することを特徴とするリモコン装置である。
【００１１】
このように構成された発明においては、リモコン装置に複数のボタンを配置する場合、変換部材を分けたことで、ボタン配置の自由度が広まりリモコン装置をコンパクトに設計できる。また、変換部材の一方が移動すると、他方が移動する伝達手段を設けているので、ボタンの押圧力がほぼ等しくなり、使用者にとって使い勝手のよいリモコン装置となる。
【発明の効果】
【００１２】
本発明のリモコン装置によれば、薄型で電池交換作業や配線工事を不要とするリモコン装置を提供することができる。
【図面の簡単な説明】
【００１３】
【図１】本発明の実施形態に係るリモコン装置と便座装置を示す斜視図である。
【図２】本発明の実施形態に係るリモコン装置を示す正面図である。
【図３】本発明の実施形態に係るリモコン装置の内部構造を示す斜視図である。
【図４】本発明の実施形態に係るリモコン装置を示すブロック図である。
【図５】本発明の実施形態に係るリモコン装置の一部分解斜視図である。
【図６】本発明の実施形態に係るリモコン装置の非回転部材の斜視図である。
【図７】本発明の実施形態に係るリモコン装置のスイッチの動きを示す正面図である。
【発明を実施するための形態】
【００１４】
以下、添付図面を参照しながら本発明の実施の形態について説明する。理解を容易にするため、各図面において同一の構成要素に対しては可能な限り同一の符号を付し、重複する説明は省略する。
【００１５】
まず、図１を参照して本発明の実施形態に係るリモコン装置の使用状態を説明する。図１は、本発明の実施形態に係るリモコン装置と便座装置を示す斜視図である。本明細書では使用者がリモコン装置ＲＣのボタンＳＢ、ＭＢを押すパネルを正面側、反対側を背面側とする。なお、本発明のリモコン装置は便座装置を操作するためのものだけでなく、便器の洗浄動作等の操作を行っても良い。
【００１６】
便座装置ＷＡは、大便器ＣＢのリムＣＢａに載置され、本体部ＷＡａと、便座ＷＡｂと、カバーＷＡｃを備えている。本体部ＷＡａは、電装部品や給水機構等を内蔵しており、大便器ＣＢのボウル部ＣＢｂに対し進退可能なノズルＮ２を有している。円柱形状のノズルＮ２は、その上面にノズル孔Ｎ２ａが形成されおり、ボウル部ＣＢｂ内に進出した状態で給水機構から水の供給を受けることで、ノズル孔Ｎ２ａから使用者の局部に向けて噴流ＪＷとして吐水する。使用者が用便時に着座する便座ＷＡｂは、本体部ＷＡａに対し回動自在に枢支されている。便座ＷＡｂの不使用時は、同じく本体部ＷＡａに対し回動自在に枢支されるカバーＷＡｃによって上方から覆われる。
【００１７】
機器である便座装置ＷＡを遠隔操作するための複数のボタンＳＢ、ＭＢを備えたリモコン装置ＲＣは、大便器ＣＢ及び便座装置ＷＡが設置されるトイレブースの壁面などに固定される。このリモコン装置ＲＣは、そのパネルＲＣＰを便座装置ＷＡ側に向けて設けられ、使用者はそのパネルＲＣＰにおいて便座装置ＷＡに行わせる動作を選択し、便座装置ＷＡを遠隔操作する。具体的には、リモコン装置ＲＣは、使用者がパネルＲＣＰで選択した内容に基づいた高周波信号を生成し、便座装置ＷＡに向けて無線で送信する。便座装置ＷＡは、本体部ＷＡａに内蔵する受信部においてこの高周波信号を受信し、その信号の内容に基づいて、ノズルＮ２からの吐水や止水、吐水の水勢の調整、ノズルＮ２の位置の変更等を行う。
【００１８】
次に、図２を参照して本発明の実施形態に係るリモコン装置のパネルについて説明する。図２は、本発明の実施形態に係るリモコン装置を示す正面図である。
【００１９】
図２に示すように、リモコン装置ＲＣのパネルＲＣＰは、後述する第２ケース６０と、上方に配列されるメインボタン群ＭＢと、メインボタン群ＭＢの下方に配列されるサブボタン群ＳＢから構成される。
【００２０】
メインボタン群ＭＢは、停止ボタンＭＢ１と、吐水ボタンＷＢと、乾燥ボタンＭＢ４からなる。さらに、吐水ボタンＷＢは、おしり洗浄ボタンＭＢ２と、ビデ洗浄ボタンＭＢ３からなる。これら４つのボタンは、いずれも正面視で略正方形を呈しており、リモコン装置ＲＣの幅方向に略一直線上に配列されている。吐水ボタンＷＢは、ノズルＮ２からの吐水動作を行わせる際に押すボタンであり、おしり洗浄ボタンＭＢ２が押された場合には使用者の肛門に向けて吐水させ、ビデ洗浄ボタンＭＢ３が押された場合には女性の局部に向けて吐水させる。また、乾燥ボタンＭＢ４は、局部洗浄後に、本体部ＷＡａに内蔵されているファンから局部に向けて温風を吹き出す乾燥動作を行わせる際に押すボタンである。停止ボタンＭＢ１は、上記吐水動作及び乾燥動作を停止させる際に押すボタンである。
【００２１】
サブボタン群ＳＢは、マイナスボタンＳＢ１と、プラスボタンＳＢ２と、前ボタンＳＢ３と、後ボタンＳＢ４からなる。これら４つのボタンは、いずれも正面視でメインボタン群ＭＢの各ボタンより小さい長方形を呈しており、リモコン装置ＲＣの幅方向に略一直線上に配列されている。マイナスボタンＳＢ１とプラスボタンＳＢ２は、ノズルＮ２からの吐水の水勢を使用者が好みに応じて変更する際に押すボタンである。また、前ボタンＳＢ３と後ボタンＳＢ４は、ノズルＮ２の位置を、使用者が自己の局部の位置に応じて変更する際に押すボタンである。上述したようにボタンの構成は、上段にメインボタン群ＭＢ、下段にサブボタン群ＳＢの二段構成となっている。
【００２２】
図２において破線で示すように、メインボタン群ＭＢとサブボタン群ＳＢの背面側には、第一変換部材であるリモコン装置ＲＣの幅方向に延びる第１スライド部材１０、第二変換部材である第２スライド部材２０、第１スライド部材１０の動きを第２スライド部材２０に、第２スライド部材２０の動きを第１スライド部材１０にそれぞれ伝えるギア１５が内蔵されている。ギア１５は、第１スライド部材１０又は第２スライド部材２０のどちらか一方の部材を動かすことで、他方の部材も連動して動くための伝達手段である。また、第１スライド部材１０の下方であって、第２スライド部材の側方には、押圧されることで自己発電可能な発電装置である発電ユニットＧＵが内蔵されている。
【００２３】
図３に示すように、ギア１５は、歯車であり第１スライド部材１０と第２スライド部材２０との間に配置されている。第１スライド部材１０は、ギア１５の歯と嵌め合うための第１ラック１１が形成されている。また、第２スライド部材２０は、ギア１５の歯と嵌め合うための第２ラック２１が形成されている。
【００２４】
後述するように、第１スライド部材１０は、メインボタン群ＭＢのいずれかのボタンが押されることによって、矢印Ａ１の方向にスライドするよう構成されている。したがって、例えば使用者の手指Ｈによって停止ボタンＭＢ１が力Ｆ１で押され、第１スライド部材１０が矢印Ａ１の方向にスライドすると、ギア１５が時計周りに回転（矢印Ａ２の方向）し、力Ｆ２を第２スライド部材２０に伝達する。この力Ｆ２を受けた第２スライド部材２０は、矢印Ａ１と平行な逆方向である矢印Ａ３の方向にスライドする。
【００２５】
一方、サブボタン群ＳＢのいずれかのボタンが押された場合は、第２スライド部材２０が矢印Ａ２の方向にスライドするよう構成されている。この際、第２スライド部材２０は、ギア１５を時計周りに回転させるので、第１スライド部材１０は、矢印Ａ１の方向にスライドする。そのため、メインボタン群ＭＢ、サブボタン群ＳＢに関係なく、どのボタンＳＢ、ＭＢを押圧しても、第１スライド部材１０も第２スライド部材２０がスライドするので、ボタンＳＢ、ＭＢの押圧力はほぼ等しくなる。そのため、どのボタンＳＢ、ＭＢでも押圧力が同じ使い勝手の良いリモコン装置となる。
【００２６】
このように構成された発明においては、リモコン装置ＲＣに複数のボタンＳＢ、ＭＢを配置する場合、変換部材を複数に分けたことで、ボタン配置の自由度が広まりリモコン装置ＲＣをコンパクトに設計できる。また、変換部材の一方が移動すると、他方が移動する伝達手段を設けているので、ボタンＳＢ、ＭＢの押圧力がほぼ等しくなり、使用者にとって使い勝手のよいリモコン装置となる。
【００２７】
このように、メインボタン群ＭＢと、サブボタン群ＳＢのいずれかのボタンＳＢ、ＭＢが押されることによって、第２スライド部材２０が矢印Ａ２の方向にスライドする。すると、第２スライド部材２０の端部２２によって、発電ユニットＧＵの入力部ＧＵ２が力Ｆ３で押し込まれる。発電ユニットＧＵはこの入力部ＧＵ２から入力される機械的エネルギーにより、電力を発生させる。
【００２８】
次に、図４を参照して本発明の実施形態に係るリモコン装置の機械的構成及び電気的構成について説明する。図４は、本発明の実施形態に係るリモコン装置を示すブロック図である。
【００２９】
上述のとおり、使用者によってメインボタン群ＭＢのいずれかのボタンＭＢが押された場合に、その力は第１スライド部材１０を介してギア１５に伝達され、ギア１５を介して第２スライド部材２０に伝達されるよう構成されている。第２スライド部材２０は、伝達されたその力によってスライドし、さらに発電ユニットＧＵに力を伝達する。また、サブボタン群ＳＢのいずれかのボタンＳＢが押された場合には、その力は第２スライド部材２０を介してギア１５に伝達され、ギア１５を介して第１スライド部材１０に伝達されるよう構成されている。
【００３０】
発電ユニットＧＵは、バネ機構ＧＳと発電機構ＧＧとを有する。発電機構ＧＧは、第２スライド部材２０から入力される機械的エネルギーを電気的エネルギーに変換することで電力を発生させている。バネ機構ＧＳは、入力部ＧＵ２が第２スライド部材２０によって発電機構ＧＧの内部に押し込まれた際に、入力部ＧＵ２を元の位置に戻すためのものである。具体的には、使用者がボタンＳＢ、ＭＢを押すと入力部ＧＵ２が押し込まれる。その際、バネ機構ＧＳのバネが収縮する。その後、使用者がボタンＳＢ、ＭＢの押圧を止めると、バネが開放され入力部ＧＵ２が元の位置に戻り、入力部ＧＵ２を介して、第２スライド部材２０が元の位置に戻り、それに伴い、ギア１５が回転することで、第１スライド部材も元の位置に戻る。
【００３１】
発電ユニットＧＵが発生させた電力は、コンデンサ３０へと供給される。コンデンサ３０は、供給された電力を充電する。
【００３２】
コンデンサ３０の出力端子には、制御ユニット４０が接続される。制御ユニット４０は、マイコン４２と、高周波生成回路４４と、送信機４６を備えている。マイコン４２は、コンデンサ３０からの電力供給を受けて起動し、高周波生成回路４４や送信機４６を制御する。ただし、コンデンサ３０に接続されている充電量検知回路３２が、コンデンサ３０に充電されている電力が基準の量以上となっていることを検知するまでは、マイコン４２は起動しないよう構成されている。具体的には、充電量検知回路３２はコンデンサ３０の電圧に基づいて、充電されている電力を検知する。
【００３３】
メインボタン群ＭＢとサブボタン群ＳＢの各ボタンＳＢ、ＭＢには、それぞれに対応する検知スイッチＭＳ１〜ＭＳ４、ＳＳ１〜ＳＳ４が接続されている。これらの検知スイッチは、対応する各ボタンＳＢ、ＭＢが使用者によって押されたことを検知するためのスイッチである。
【００３４】
メインボタン群ＭＢとサブボタン群ＳＢのいずれかのボタンＳＢ、ＭＢが押された結果、コンデンサ３０に充電された電力が基準の量以上となった場合、コンデンサ３０からの電力供給を受けてマイコン４２が起動し、検知スイッチから情報（いずれのボタンＳＢ、ＭＢが押されたのか）を取得する。そしてマイコン４２は、取得したその情報に対応する高周波信号を高周波生成回路４４で生成させ、その後、送信機４６から便座装置ＷＡに向けて送信させる。
【００３５】
次に、図５〜図７を参照してリモコン装置ＲＣの内部構造と、各ボタンＳＢ、ＭＢにおける押動作について説明する。
【００３６】
リモコン装置ＲＣは、正面が空いている箱状の第１ケース５０に第２ケース６０を被せて外郭が形成されている。更に、第２ケース６０にリモコン装置ＲＣの背面方向に押動可能なボタンＳＢ、ＭＢが取り付けられている。
【００３７】
第１ケース５０の内部には、第１ケース５０の背面側と正面側とを分ける仕切り板７０が設けられている。言い換えると、第１ケース５０の背面側の板材５２を覆うように仕切り板７０が、その板材５２から所定距離を空けて設けられている。仕切り板７０と第２ケース６０との間に、回転部材８０、非回転部材９０、バネ１００が配置される。
【００３８】
仕切り板７０には、リモコン装置ＲＣの正面側に向かって立設され、第１スライド部材１０及び第２スライド部材２０を支える立壁７１が配置されている。立壁７１によって、第１スライド部材１０及び第２スライド部材２０の鉛直方向の動きが規制され、水平方向にスライド移動できるようにしている。
また、仕切り板７０には、後述する非回転部材９０が嵌合される嵌合部７３が設けられている。嵌合部材７３は、仕切り板７０から突設された四角柱形状の部材である。
また、仕切り板７０には、後述する回転部材８０の位置決めのために、円形の溝部７５が形成されている。複数の回転部材８０は、複数のボタンＳＢ、ＭＢの背面側にそれぞれ位置している。
【００３９】
回転部材８０は、円筒形状をしており、外周面には第１スライド部材１０又は第２スライド部材２０にそれぞれ設けられる凹部２３を押動するための突起状の押動部８１が形成されている。回転部材８０の内周面には、内周面から突設した回転部材８０の回転方向に傾斜面を有する傾斜部８３が４つ設けられている。傾斜部８３は、内周面に等間隔に配置されている。また、図６に示すように、回転部材８０の背面側の面には、溝部７５に嵌合するようにガイド部８５が設けられている。
【００４０】
使用者が押圧したボタンＳＢ、ＭＢの直線運動を回転部材８０に伝えるために非回転部材９０は、回転部材８０の正面側に距離を置いて配置されている。非回転部材９０は、仕切り板７０に対して取り付けられた弾性部材であるバネ１００によって支持されている。非回転部材９０は、円形形状をしており、外周面の途中から、外形よりも一回り大きくなっており、一回り大きい外周面から突起部９１が、等間隔に４つ形成されている。また、図６に示すように、非回転部材９０の背面側には、嵌合部７３に嵌め合うための四角孔９３が設けられ、その四角孔９３の中心からバネ１００に挿入されるバネ軸９５が形成されている。仕切り板７０に突設された嵌合部７３に四角孔９３を挿入することで、ボタンＳＢ、ＭＢが押圧される方向を軸とした回転方向の動きが規制されている。また傾斜部８１と対向する突起部９１の面には、非回転部材９０が回転部材８０にスムーズに押し込まれるように、傾斜面である傾斜ガイド部９７が形成されている。
【００４１】
次に、リモコン装置ＲＣの組み立て方法について説明する。まず、第１ケース５０に電子部品を載せた基板（図示なし）を取り付ける。次に、第１ケース５０を覆うように仕切り板７０を取り付ける。仕切り板７０を取り付けたら、第１スライド部材１０と第２スライド部材２０を仕切り板７０の立壁７１の隙間にそれぞれ挿入する。その後ギア１５を、スライド部材の間に取り付ける。次に、複数のボタンＳＢ、ＭＢが配置されるそれぞれに対して、回転部材８０のガイド部８５を仕切り板７０の溝部７５に挿入する。そして、予めバネ軸９５にバネ１００が挿入されている非回転部材９０の四角孔９３を、仕切り板７０の嵌合部７３に挿入する。次に、仕切り板７０を覆う第２ケース６０を第１ケース５０に取り付ける。第２ケース６０には、非回転部材９０の正面側の外形より大きく、正面側の外形より一回り大きい外形である背面側の突起部９１の外形より小さい孔６１が設けられ、非回転部材９０のバネ１００による飛び出しを防いでいる。最後に、第２ケース６０に形成されている軸９３に、ボタンＳＢ、ＭＢを回動自在に取り付けることで、ボタンＳＢ、ＭＢを押圧することで非回転部材９０を背面側に押し込むことができるようになっている。
【００４２】
次に、図７を用いて使用者が何れかのボタンＳＢ、ＭＢを押圧したときの、発電方法について説明する。複数のボタンＳＢ、ＭＢが押されていない状態は、図７（ａ）のように、回転部材８０の傾斜部８３にほぼ重なる位置に非回転部材９０の突起部９１が配置されている。例えば使用者が、ノズルＮ２の位置を後ろへ下げたい時、使用者に後ボタンＳＢ４が押され、後ボタンＳＢ４は第２ケース６０に設けられた軸９３を中心に回動し、非回転部材９０をリモコン装置ＲＣの背面側へ動かす。そのままボタンＳＢ４を押し込み、非回転部材９０が背面側へ押し込まれると非回転部材９０は回転部材８０の背面側の底面に当接する。非回転部材９０が背面側へ押し出されることで、非回転部材９０の突起部９１が、回転部材８０の傾斜部８３と接触し、傾斜部８３が押され、回転部材８０を正面視で反時計周りに回転させる。つまり、回転部材８０は、ボタンＳＢ、ＭＢが押圧されると押圧方向と垂直な面において回転運動を行う。この時、図７（ｂ）のように、非回転部材９０の突起部９１と回転部材８０の傾斜部８３の位置関係は、回転部材８０が回転することで、ほとんど重ならない位置となる。非回転部材９０はリモコン装置ＲＣの背面側に移動し、回転部材８０が回転することで、押動部８１が回転し、その回転運動を直線運動に変換する変換部材である第２スライド部材２０が水平方向に移動し、第２スライド部材２０の端部２２によって発電ユニットＧＵの入力部ＧＵ２が押し込まれる。つまり、リモコン装置ＲＣは第２スライド部材の直線運動によって発電ユニットＧＵが押圧されることで電力を発生させる。
【００４３】
リモコン装置ＲＣを説明してきた構成としたことで、使用者が複数のボタンＳＢ、ＭＢの何れか一つのボタンＳＢ、ＭＢを押圧することで、回転部材が回転し、その回転によって変換部材が直線運動を行い、発電装置を押圧することで発電できる。またボタンＳＢ、ＭＢの押圧方向に重ならずに発電装置を配置することができ、薄型のリモコン装置とすることができる。
【００４４】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００４５】
ＷＡ：便座装置
ＲＣ：リモコン装置
ＲＣＰ：パネル
１０：第１スライド部材
１１：第１ラック
１５：ギア
２０：第２スライド部材
２１：第２ラック
２２：端部
２３：凹部
３０：コンデンサ
３２：充電量検知回路
４０：充電量検知回路
４２：マイコン
４４：高周波生成回路
４６：送信機
５０：第１ケース
５２：板材
６０：第２ケース
６１：孔
６３：軸
７０：仕切り板
７１：立壁
７３：嵌合部
７５：溝部
８０：回転部材
８１：押動部
８３：傾斜部
８５：ガイド部
９０：非回転部材
９１：突起部
９３：四角孔
９５：バネ軸
９７：傾斜ガイド部
１００：バネ
ＧＧ：発電機構
ＧＳ：バネ機構
ＧＵ：発電ユニット
ＧＵ２：入力部
ＭＢ：メインボタン群
ＭＢ１：停止ボタン
ＭＢ２：洗浄ボタン
ＭＢ３：ビデ洗浄ボタン
ＭＢ４：乾燥ボタン
ＷＢ：吐水ボタン
ＭＳ１〜ＭＳ４：検知スイッチ
Ｎ２：ノズル
ＳＢ：サブボタン群
ＳＢ１：強ボタン
ＳＢ２：弱ボタン
ＳＢ３：前ボタン
ＳＢ４：後ボタン
【図３】
2015170946.tif 000003
【図７】
2015170946.tif 000004
【図１】
2015170946.tif 000005
【図２】
2015170946.tif 000006
【図４】
2015170946.tif 000007
【図５】
2015170946.tif 000008
【図６】
2015170946.tif 000009